(57)【要約】      （修正有）【課題】ナビゲータエコーの励起領域とプリパルスやスライスなどの励起の重なりによる影響がある場合においても横隔膜位置の正確な検出を可能とするMRI装置の差動方法を提供する。【解決手段】MRI装置であって、本計測の前に、1TR分以上の空打ちを実施した後、本計測の1TR内において実施された各ナビゲータエコーを参照エコーに設定し、その信号強度プロファイル37、39と、参照エコー設定後の本計測において実施された比較用の各ナビゲータエコーの信号強度プロファイルとの相関をとる。この相関結果より求められた横隔膜位置の変位量に基づき、プリパルスおよびスライスなどの励起位置を追従させる。これにより、横隔膜と近接した撮像部位においてナビゲータエコー法の適用を可能とし、呼吸動アーチファクトの抑制された画像の取得を可能とする。【選択図】図６
2017023397.tif 000002
【特許請求の範囲】
【請求項１】
磁気共鳴イメージング（以下、MRI）装置であって、
被検体を収容する空間に均一な静磁場と、前記静磁場へ重畳して傾斜磁場を発生させる磁場発生部と、前記被検体へ高周波磁場を照射して前記被検体から発生する核磁気共鳴(以下、NMR)信号を検出する検出部と、検出された前記NMR信号を画像化する処理部と、を備え、
前記処理部は、
プリパルスやスライスなどの励起の重なりによる影響を含む励起領域を有するナビゲータエコーを参照エコーに設定し、前記参照エコーと本計測時の比較用ナビゲータエコーとの相関を取ることにより前記被検体の変位量を算出する、
ことを特徴とするMRI装置。
【請求項２】
請求項１に記載のMRI装置であって、
前記処理部は、本計測の前に1繰り返し時間(以下、TR)分以上の空打ち（画像データ取得なし）を実施した後、本計測の1TR内において実施される各ナビゲータエコーを前記参照エコーとする、
ことを特徴とするMRI装置。
【請求項３】
請求項２に記載のMRI装置であって、
前記処理部は、前記本計測の比較用ナビゲータエコーが、TR内の何番目かに基づき、相関を取る前記参照エコーを切り替える、
ことを特徴とするMRI装置。
【請求項４】
請求項２に記載のMRI装置であって、
前記被検体の変位量は、前記被検体の横隔膜の位置情報である、
ことを特徴とするMRI装置。
【請求項５】
請求項４に記載のMRI装置であって、
前記処理部は、前記横隔膜の位置情報をもとに、前記プリパルスやスライスなどの励起位置を追従させる、
ことを特徴とするMRI装置。
【請求項６】
請求項４に記載のMRI装置であって、
前記処理部は、前記参照エコーとして実施される前記ナビゲータエコーを、前記被検体の息止め状態で取得する、
ことを特徴とするMRI装置。
【請求項７】
被検体を収容する空間に均一な静磁場と、前記静磁場へ重畳して傾斜磁場を発生させる磁場発生部と、前記被検体へ高周波磁場を照射して前記被検体から発生するNMR信号を検出する検出部と、検出された前記NMR信号を画像化する処理部とを備えたMRI装置の作動方法であって、
前記処理部は、
プリパルスやスライスなどの励起の重なりによる影響を含む励起領域を有するナビゲータエコーを参照エコーに設定し、前記参照エコーと本計測時の比較用ナビゲータエコーとの相関を取ることにより前記被検体の変位量を算出する、
ことを特徴とするMRI装置の作動方法。
【請求項８】
請求項７に記載のMRI装置の作動方法であって、
前記処理部は、本計測の前に1TR分以上の空打ち（画像データ取得なし）を実施した後、本計測の1TR内において実施される各ナビゲータエコーを前記参照エコーとする、
ことを特徴とするMRI装置の作動方法。
【請求項９】
請求項８に記載のMRI装置の作動方法であって、
前記処理部は、前記参照エコーとして実施される前記ナビゲータエコーを、前記被検体の息止め状態で取得する、
ことを特徴とするMRI装置の作動方法。
【発明の詳細な説明】
【技術分野】
【０００１】
本発明は、磁気共鳴イメージング装置に係り、特に再構成画像に対する呼吸動アーチファクト抑制技術に関する。
【背景技術】
【０００２】
磁気共鳴イメージング（以下、「MRI」という）装置は、被検体、特に人体の組織を構成する原子核の核磁気共鳴（以下、「NMR」という）により発生するNMR信号を計測し、その頭部、腹部、四肢等の形態や機能を２次元的に或いは３次元的に画像化する装置である。撮影においては、NMR信号には、傾斜磁場によって異なる位相エンコードが付与されるとともに周波数エンコードされて、時系列データとして計測される。計測されたNMR信号は、２次元又は３次元フーリエ変換されることにより画像に再構成される。
【０００３】
MRI撮像法において、呼吸動をモニタして呼吸動の影響を抑制する技術に、ナビゲータエコー法がある。このナビゲータエコー法では、予めモニタ計測により、間隔をおいて、例えば500msecおきにナビゲータエコーシーケンスを実行させて、被検体の呼吸動の態様を把握する。次にモニタ計測により得られた呼吸動の態様から、所望の範囲の横隔膜位置を指定する。本計測では、当該所望の範囲の横隔膜位置にあるときに得られたエコー信号のみを利用して、画像を再構成することにより、呼吸動の影響を抑制する。また、横隔膜位置を検出したタイミングで、リアルタイムにスライス位置の追従を行うことで、より呼吸動の影響を抑制した画像の取得が可能となる。ナビゲータエコー法ではモニタ計測により得られたナビゲータエコーを参照エコーに設定し、本計測では設定した参照エコーと本計測中に得られた比較用ナビゲータエコーの信号強度プロファイルとの相関を取ることにより横隔膜の位置検出を行う。関連する先行技術として特許文献１がある。
【先行技術文献】
【特許文献】
【０００４】
【特許文献１】特表２０１０−５４０１５１号公報
【発明の概要】
【発明が解決しようとする課題】
【０００５】
しかしながら、従来のナビゲータエコー法にあっては、ナビゲータエコーの励起領域にプリパルスやスライスの励起が重なった場合、本計測において取得するナビゲータエコーの信号強度プロファイルにこれらの影響が生じ、ナビゲータエコーシーケンスのみを実施するモニタ計測で取得した参照エコーの信号強度プロファイルとの間で相関が低くなり、本計測において横隔膜の位置誤検出が発生する。
【０００６】
特許文献１に、ナビゲータエコーの励起領域とスライスの励起の重なりによる横隔膜の位置誤検出の解決案として、本計測において取得するナビゲータエコーの信号強度プロファイルに対して、スライスの励起の影響による信号強度の減弱の有無を検出して、信号強度プロファイルの補正を行う技術が開示されている。しかしながら、特許文献１では、信号強度の減弱の有無の判定処理および補正を要する為、その分、横隔膜位置の検出に時間がかかってしまう。加えて、プリパルスや個人差の影響等により信号強度の減弱の有無の判定処理および補正が正しく行われない可能性がある。
【０００７】
本発明の目的は、上記の課題を解決し、横隔膜位置の正確な検出を可能とし、横隔膜と近接した撮像部位においてナビゲータエコー法の適用を可能とし、呼吸動アーチファクトの抑制された画像の取得を可能としたMRI装置、及びその作動方法を提供することにある。
【課題を解決するための手段】
【０００８】
上記目的を達成するために、本発明においては、MRI装置であって、被検体を収容する空間に均一な静磁場と、静磁場へ重畳して傾斜磁場を発生させる磁場発生部と、被検体へ高周波磁場を照射して被検体から発生するNMR信号を検出する検出部と、検出されたNMR信号を画像化する処理部とを備え、処理部は、プリパルスやスライスなどの励起の重なりによる影響を含む励起領域を有するナビゲータエコーを参照エコーに設定し、参照エコーと本計測時の比較用ナビゲータエコーとの相関を取ることにより変位量を算出する構成のMRI装置を提供する。
【０００９】
また、上記目的を達成するため、本発明においては、被検体を収容する空間に均一な静磁場と、静磁場へ重畳して傾斜磁場を発生させる磁場発生部と、被検体へ高周波磁場を照射して被検体から発生するNMR信号を検出する検出部と、検出されたNMR信号を画像化する処理部とを備えたMRI装置の作動方法であって、処理部は、プリパルスやスライスなどの励起の重なりによる影響を含む励起領域を有するナビゲータエコーを参照エコーに設定し、前記参照エコーと本計測時の比較用ナビゲータエコーとの相関を取ることにより前記被検体の変位量を算出するMRI装置の作動方法を提供する。
【発明の効果】
【００１０】
本発明によれば、ナビゲータエコー法において横隔膜位置の正確な検出を可能とし、横隔膜と近接した撮像部位において、呼吸動アーチファクトの抑制された画像の取得を可能とする。
【図面の簡単な説明】
【００１１】
【図１】各実施例に係る、MRI装置の全体構成の一例を説明するための図。
【図２】ナビゲータエコー法の被検体である人体を示す模式図。
【図３】従来におけるモニタ計測時に取得されるナビゲータエコーの信号強度プロファイルを説明するため図。
【図４】従来における本計測時に取得されるナビゲータエコーの信号強度プロファイルを説明するための図。
【図５】実施例1に係るMRI装置のナビゲータエコー法のフローチャート図。
【図６】実施例1に係るMRI装置のナビゲータエコーシーケンスを示す概要図。
【図７】実施例2に係るMRI装置のナビゲータエコー法のフローチャート図。
【図８】実施例2に係るMRI装置のナビゲータエコーシーケンスを示す概要図。
【図９】実施例3に係るMRI装置のナビゲータエコー法のフローチャート図。
【図１０】実施例3に係るMRI装置のナビゲータエコーシーケンスを示す概要図。
【発明を実施するための形態】
【００１２】
以下、添付図面に従って本発明のMRI装置、及びその作動方法の好ましい実施形態について詳説するが、本発明の理解を容易にするため、その課題を図２〜図４を使って概説する。図２は、MRI装置の被検体である人体を模式的に示しており、人体をナビゲータエコー法で撮像する場合に関係する部位である肺26、心臓27、肝臓28、横隔膜29と、ナビゲータエコー取得位置30を示している。
【００１３】
図３は、従来のナビゲータエコー法におけるモニタ計測の際のナビゲータエコーの励起領域と、取得されるナビゲータエコーの信号強度プロファイルを説明するための模式図である。同図にみるように、モニタ計測の場合、500ms毎のナビゲータエコーシーケンス31を実行する全ての励起領域には、プリパルスやスライスなどの励起の影響は無い。そのため、同図の下段に示すように、信号強度プロファイル32、及びナビゲータエコー画像33には何らの影響はない。
【００１４】
それに対し、図４の従来のナビゲータエコー法における本計測におけるナビゲータエコーの励起領域に、プリパルスやスライス34の励起が重なった場合、本計測において取得するナビゲータエコーの信号強度プロファイル35、ナビゲータエコー画像36にこれらの影響がスライス励起跡として生じ、ナビゲータエコーシーケンスのみを実施するモニタ計測で取得した参照エコーの信号強度プロファイル32との間で相関が低くなり、本計測において横隔膜の位置誤検出が発生する課題があった。
【００１５】
本発明においては、本計測の前に、1繰り返し時間(以下、TR)分以上の空打ち（画像データ取得なし、以下「ADなし」と称する）を実施した後、本計測の1TR内において実施された各ナビゲータエコーを参照エコーに設定することにより、横隔膜位置の正確な検出と、横隔膜と近接した撮像部位においてナビゲータエコー法の適用、更には呼吸動アーチファクトの抑制された画像の取得を可能とするMRI装置、及びその作動方法を提供することができる。
【００１６】
図１に基づき、実施例に係るMRI装置の一構成例を説明する。図１は、MRI装置の一例の全体構成を示すブロック図である。このMRI装置は、NMR現象を利用して被検体の断層画像を得るもので、図１に示すように、MRI装置は静磁場発生系2と、傾斜磁場発生系3と、送信系5と、受信系6と、信号処理系7と、シーケンサ4と、中央処理部（CPU）8とを備えて構成される。
【００１７】
静磁場発生系2は、垂直磁場方式であれば、被検体1の周りの空間にその体軸と直交する方向に、水平磁場方式であれば、体軸方向に均一な静磁場を発生させるもので、被検体1の周りに永久磁石方式、常電導方式あるいは超電導方式の静磁場発生源が配置されている。
【００１８】
傾斜磁場発生系3は、MRI装置の座標系（静止座標系）であるX，Y，Zの3軸方向に傾斜磁場を印加する傾斜磁場コイル9と、それぞれの傾斜磁場コイルを駆動する傾斜磁場電源10とから成り、後述のシ−ケンサ4からの命令に従ってそれぞれのコイルの傾斜磁場電源10を駆動することにより、X，Y，Zの３軸方向に傾斜磁場Gx，Gy，Gzを印加する。撮影時には、スライス面（撮影断面）に直交する方向にスライス方向傾斜磁場パルス（Gs）を印加して被検体1に対するスライス面を設定し、そのスライス面に直交して且つ互いに直交する残りの2つの方向に位相エンコード方向傾斜磁場パルス（Gp）と周波数エンコード方向傾斜磁場パルス（Gf）を印加して、エコー信号にそれぞれの方向の位置情報をエンコードする。
【００１９】
シーケンサ4は、高周波磁場パルス（以下、「RFパルス」という）と傾斜磁場パルスをある所定のパルスシーケンスで繰り返し印加する制御手段で、CPU8の制御で動作し、被検体1の断層画像のデータ収集に必要な種々の命令を送信系5、傾斜磁場発生系3、および受信系6に送る。
【００２０】
送信系5は、被検体1の生体組織を構成する原子の原子核に核磁気共鳴を起こさせるために、被検体１にRFパルスを照射するもので、高周波発振器11と変調器12と高周波増幅器13と送信側の高周波コイル（送信コイル）14aとから成る。高周波発振器11から出力されたRFパルスをシーケンサ4からの指令によるタイミングで変調器12により振幅変調し、この振幅変調されたＲＦパルスを高周波増幅器13で増幅した後に被検体1に近接して配置された高周波コイル14aに供給することにより、RFパルスが被検体1に照射される。
【００２１】
受信系6は、被検体1の生体組織を構成する原子核の核磁気共鳴により放出されるエコー信号（NMR信号）を検出するもので、受信側の高周波コイル（受信コイル） 14bと信号増幅器15と直交位相検波器16と、A/D変換器１７とから成る。送信側の高周波コイル１４ａから照射された電磁波によって誘起された被検体1の応答のNMR信号が被検体１に近接して配置された高周波コイル14bで検出され、信号増幅器15で増幅された後、シーケンサ4からの指令によるタイミングで直交位相検波器16により直交する二系統の信号に分割され、それぞれがA/D変換器17でディジタル量に変換されて、信号処理系7に送られる。 
信号処理系７は、各種データ処理と処理結果の表示及び保存等を行うもので、光ディスク19、磁気ディスク18等の外部記憶装置と、CRT、LCD等からなるディスプレイ20とを有する。受信系6からのデータがCPU8に入力されると、CPU8が信号処理、画像再構成等の処理を実行し、その結果である被検体1の断層画像をディスプレイ20に表示すると共に、外部記憶装置の磁気ディスク18等に記録する。
【００２２】
操作部25は、MRI装置の各種制御情報や信号処理系7で行う処理の制御情報を入力するもので、トラックボール又はマウス23、及び、キーボード24から成る。この操作部25はディスプレイ20に近接して配置され、操作者がディスプレイ20を見ながら操作部25を通してインタラクティブにMRI装置の各種処理を制御する。
【００２３】
なお、図１のMRI装置において、送信側の高周波コイル14aと傾斜磁場コイル９は、被検体1が挿入される静磁場発生系2の静磁場空間内に、垂直磁場方式であれば被検体1に対向して、水平磁場方式であれば被検体１を取り囲むようにして設置されている。また、受信側の高周波コイル14bは、被検体1に対向して、或いは取り囲むように設置されている。
【００２４】
現在MRI装置の撮像対象核種は、臨床で普及しているものとしては、被検体の主たる構成物質である水素原子核（プロトン）である。プロトン密度の空間分布や、励起状態の緩和時間の空間分布に関する情報を画像化することで、人体頭部、腹部、四肢等の形態または、機能を2次元もしくは3次元的に撮像する。
【実施例１】
【００２５】
次に、実施例１に係るMRI装置について、図5のナビゲータエコー法のフローチャートと、図6のナビゲータエコーシーケンスを示す概要図に沿って説明する。なお、図5のフローチャートの処理主体はCPU8やシーケンサ4などである。また、以下の実施例において、ナビゲータエコーの励起領域と励起の重なりによる影響を与えるものとしてプリパルスやスライスを例示して説明するが、これらに限定されるものでない。
【００２６】
図5において、CPU8は、動作開始後、1TR分以上の本計測シーケンスの空打ち（ADなし）を実施する（ステップ31）。その後、CPU8は、本計測シーケンスを開始する（ステップ32）。
【００２７】
そして、CPU8は、ナビゲータエコーシーケンスを実施する（ステップ33）。CPU8は、当該シーケンスが本計測シーケンスの初回TRかどうか判断し（ステップ34）、初回TRならばステップ35へ、初回TRでなければステップ36へ移行する。
【００２８】
CPU8は、取得したナビゲータエコーを参照エコー#として保存する（ステップ35）。この時、TR内の何番目のナビゲータエコーかの情報（Navi#情報）も合わせて保存し、画像データ取得（ステップ38）へ移行する。同図に示すように、参照エコー#１の信号強度プロファイル37、ナビゲータエコー画像38には、Slice#2励起跡、参照エコー#2の信号強度プロファイル39、ナビゲータエコー画像40には、Slice#2励起跡などの影響が発生する。
【００２９】
そこで、CPU8は、二回目以降のTRにおいて、当該TR内の何番目の比較用ナビゲータエコーかの情報（Navi#情報）から、ステップ35で保存した参照エコー#を参照し、取得したナビゲータエコーの信号強度プロファイル37、又は39と相関を取る（ステップ36）。すなわち、参照エコー設定後の本計測の比較用ナビゲータエコーにおいて、TR内の何番目かのナビゲータエコーであるかの情報によって相関を取る参照エコーを切り替える。そして、CPU8は、ステップ36の結果より変位量（検出点）を求め、プリパルスやスライスなどの周波数（励起位置）の調整を行う（ステップ37）。すなわち、ナビゲータエコーより検出された横隔膜の位置情報をもとにプリパルスやスライスなどの励起位置を追従させる。
【００３０】
CPU8は、画像データを取得する（ステップ38）。CPU8は、画像再構成に必要なデータの取得が完了したら本計測を終了する。完了していなければステップ33へ移行する（ステップ39）。
【００３１】
以上の実施例1のMRI装置のナビゲータエコー法により、図３で説明した従来の操作ワークフローが改善し、検査時間の短縮につながる。また、ナビゲータエコーの励起領域とプリパルスやスライスなどの励起の重なりによる影響を含むエコーを参照エコーに設定し、この重なりによる影響を含む参照エコーを用いて信号強度プロファイルの相関を取るため、スライス毎にナビゲータエコーシーケンスを実施する場合においても、各ナビゲータエコーにおいて横隔膜位置の正確な検出が可能となる。この結果、各スライスの直前に実施されたナビゲータエコーにより求めた変位量（検出点）を用いてプリパルスやスライスなどの周波数（励起位置）の調整を行うことで、プリパルスが適切な位置に打たれるようになり、またTR後半のスライスに対しても呼吸動アーチファクトが抑制された画像の取得が可能となる。
【００３２】
すなわち、本実施例によれば、ナビゲータエコー法においてナビゲータエコーの励起領域とプリパルスやスライスなどの励起の重なりによる影響がある場合においても、横隔膜位置の正確な検出を可能とし、横隔膜と近接した撮像部位においてナビゲータエコー法の適用を可能とし、呼吸動アーチファクトの抑制された画像の取得を可能としたMRI装置を提供することができる 。
【実施例２】
【００３３】
次に、実施例２に係るMRI装置のナビゲータエコー法ついて図7のフローチャートと図8のナビゲータエコーシーケンスを示す概要図に沿って説明する。
【００３４】
図7のフローチャートにおいて、図5の実施例１のフローチャートと比較して異なる点は、本計測開始前に参照エコー取得用に、息止め状態において、1TR分以上の本計測シーケンスの空打ちと、1TR分の本計測シーケンス（ナビゲータエコーデータのみ取得（NaviADあり）、スライス画像データ取得なし（SliceADなし））を実施する点である。以下、実施例２と実施例１と異なる箇所のみ説明し、同じ箇所の説明は省略する。
【００３５】
実施例1では、呼吸周期に対して、TRが長い計測においてTRの前半と後半でナビゲータエコーシーケンスを行った場合、横隔膜の位置の差が大きくなりプリパルスやスライスなどの励起位置の関係性が崩れる可能性がある。そこで、参照エコーを取得する際の横隔膜の位置を揃えることで、TRが長い計測においてもプリパルスやスライスなどの励起位置の関係性が崩れることのないようにする。そのため、本計測開始前に参照エコー取得用に息止め状態において1TR分以上の本計測シーケンスの空打ちと、1TR分の本計測シーケンス（ナビゲータエコーデータのみ取得（NaviADあり）、スライス画像データ取得なし（SliceADなし））を実施する。
【００３６】
図７のフローチャートに示すように、CPU8は、Pause状態に遷移する（ステップ40）。ユーザは、被検者に対して息止め指示を行い（ステップ41）、息止め開始後、Continueボタンを押下する（ステップ42）。
【００３７】
CPU8は、1TR分以上の本計測シーケンスの空打ち（ADなし）を実施する（ステップ43）。次に、CPU8は、1TR分の本計測シーケンス（ナビゲータエコーデータのみ取得（NaviADあり）、スライス画像データ取得なし（SliceADなし））を実施する（ステップ44）。CPU8は、この1TR分の本計測シーケンスにおいて取得した各ナビゲータエコーを参照エコー#として保存する。この時、TR内の何番目のナビゲータエコーかの情報（Navi#情報）も合わせて保存する（ステップ45）。
【００３８】
その後、CPU8は、Pause状態に遷移し（ステップ46）、ユーザは、被検者に対して息止め解除指示を行い（ステップ47）、Continueボタンを押下する（ステップ48）。そして、まずCPU8は、1TR分以上の本計測シーケンスの空打ち（ADなし）を実施する（ステップ49）。CPU8は、本計測シーケンスを開始し（ステップ50）、ナビゲータエコーシーケンスを実施する（ステップ51）。
【００３９】
CPU8は、TR内の何番目のナビゲータエコーかの情報（Navi#情報）から、ステップ45で保存した参照エコー#を参照し、取得したナビゲータエコーの信号強度プロファイルと相関を取る（ステップ52）。
【００４０】
また、CPU8は、ステップ52の結果より変位量（検出点）を求め、プリパルスやスライスなどの周波数（励起位置）の調整を行う（ステップ53）。
【００４１】
そして、CPU8は、画像データを取得し（ステップ54）、画像再構成に必要なデータの取得が完了したら計測を終了する。完了していなければステップ51へ移行する（ステップ55）。
【００４２】
本実施例により、息止めにより同じ横隔膜の位置で参照エコーを取得する為、呼吸周期に対して、TRが長い計測においてTR前半と後半でナビゲータエコーシーケンスを行った場合でもプリパルスやスライスなどの励起位置の関係性が保たれる。
【実施例３】
【００４３】
次に、実施例３のMRI装置のナビゲータエコー法ついて、図9のフローチャートと、図10のナビゲータエコーシーケンスを示す概要図に沿って説明する。本実施例が、実施例１及び実施例２と異なる点は、モニタ計測を実施し、ゲートウインドウの設定及び参照エコーの決定をする点である。以下、先の実施例と異なる箇所のみ説明し、同じ箇所の説明は省略する。
【００４４】
実施例1や実施例2では、呼気相、吸気相に関係なく全てのデータを採用している為、呼吸動が安定していない箇所で取得した画像データは呼吸動アーチファクトの抑制効果が低くなることが想定される。そこで、実施例3では1TR分以上の本計測シーケンスの空打ちを実施した後、本計測シーケンス（ナビゲータエコーデータのみ取得（NaviADあり）、スライスデータ取得なし（SliceADなし））を繰り返すモニタ計測を実施し、参照エコーの決定およびゲートウインドウの設定をした後、本計測を開始する。
【００４５】
本実施例の本計測中のナビゲータエコーシーケンスでは、検出点が設定したゲートウインドウ内に入っている（Accept）の場合は、そのTR内で取得した画像データを採用する。検出点が設定したゲートウインドウ内に入っていない（Reject）の場合は、そのTR内で取得した画像データを破棄し、次のTRで画像データの再取得を行う構成をとる。
【００４６】
図9のフローチャート、及び図10のシーケンスにおいて、CPU8は、モニタ計測を開始し、まず1TR分以上の本計測シーケンスの空打ち（ADなし）を実施する（ステップ56）。続いて、CPU8は、本計測シーケンス（ナビゲータエコーデータのみ取得（NaviADあり）、スライスデータ取得なし（SliceADなし））を開始し（ステップ57）、ナビゲータエコーシーケンスを実施して（ステップ58）、取得したナビゲータエコー#を保存する（ステップ59）。
【００４７】
続いて、CPU8は、本計測シーケンス（ナビゲータエコーデータのみ取得（NaviADあり）、スライスデータ取得なし（SliceADなし））の初回TRかどうか判断する。初回TRならばステップ61へ、初回TRでなければステップ62へ移行する（ステップ60）。CPU8は、取得したナビゲータエコーを参照エコー#として保存する（ステップ61）。この時、TR内の何番目のナビゲータエコーかの情報（Navi#情報）も合わせて保存する。ステップ64へ移行する。
【００４８】
ステップ62において、CPU8は、TR内の何番目のナビゲータエコーかの情報（Navi#情報）からステップ61で保存した参照エコー#を参照し、取得したナビゲータエコーの信号強度プロファイルと相関を取る。CPU8は、ステップ62の結果より変位量（検出点）を求める（ステップ63）。
【００４９】
CPU8は、ナビゲータエコーシーケンスで取得したエコーの再構成画像および信号強度プロファイルをディスプレイ20のNavi Monitor画面に表示する（ステップ64）。
【００５０】
CPU8は、ユーザがPauseボタンを押下した、または指定時間が経過したかをチェックする（ステップ65）。ユーザがPauseボタンを押下した、または指定時間が経過した場合はステップ66へ、ユーザがPauseボタンを押下しておらず、指定時間も経過していない場合はステップ58へ移行する。
【００５１】
ステップ66において、CPU8は、Pause状態に遷移する。そして、CPU8は、ゲートウインドウ、基準エッジおよび検出点、参照エコー指定線を表示する（ステップ67）。ユーザは、必要に応じてゲートウインドウ、基準エッジおよび参照エコー指定線を変更する（ステップ68）。参照エコー指定線を動かすと、基準エッジも同時に移動する。
【００５２】
ユーザは、Continueボタンを押下し、本計測を開始させる（ステップ69）。CPU8は、1TR分以上の本計測シーケンスの空打ち（ADなし）を実施する（ステップ70）。その後、CPU8は、本計測シーケンスを開始する（ステップ71）。
【００５３】
CPU8は、ナビゲータエコーシーケンスを実施する（ステップ72）。CPU8は、TR内の何番目のナビゲータエコーかの情報（Navi#情報）からステップ68で保存した参照エコー#を参照し、取得したナビゲータエコーの信号強度プロファイルと相関を取る（ステップ73）。CPU8は、ステップ73の結果より変位量（検出点）を求め、プリパルスやスライスなどの周波数（励起位置）の調整を行う（ステップ74）。
【００５４】
CPU8は、ナビゲータエコーシーケンスで取得したエコーの再構成画像および信号強度プロファイルをディスプレイ20のNavi Monitor画面に表示する（ステップ75）。
【００５５】
CPU8は、検出点がゲートウインドウ内に入っているか判定する（ステップ76）。検出点がゲートウインドウ内に入っている場合(Accept判定)はステップ77へ、検出点がゲートウインドウ内に入っていない場合(Reject判定)はステップ79へ移行する。
【００５６】
ステップ77において、CPU8は、ディスプレイ20のNavi Monitor画面に横隔膜位置の検出点を赤丸で表示する。そして、CPU8は、画像データを取得し（ステップ78）、ステップ80へ移行する。ステップ79では、CPU8は、ディスプレイ20のNavi Monitor画面に横隔膜位置の検出点を青丸で表示する。
【００５７】
CPU8は、1TR完了かチェックする（ステップ80）。1TR完了ならば、ステップ81へ、1TR完了でなければ、ステップ72へ移行する。ステップ81で、CPU8は、1TR完了時に1TR内でReject判定があったかチェックする。1TR内でReject判定があった場合はステップ82へ、1TR内でReject判定がなかった場合はステップ84へ移行する。
【００５８】
ステップ82においては、CPU8は、1TR内で取得した画像データを破棄する。CPU8は、ステップ82で破棄したTRの画像データを次のTRで再取得する為の準備を行う（ステップ83）。
【００５９】
ステップ84において、CPU8は、画像再構成に必要なデータの取得が完了したら計測を終了する。完了していなければステップ72へ移行する。
【００６０】
以上説明した実施例3により、呼気相または吸気相の呼吸動が安定した箇所にゲートウインドウを設定することで、呼吸動が安定した箇所の画像データのみ採用が可能となり、より呼吸動アーチファクトの抑制された画像の取得が可能となる。
【００６１】
なお、本発明は上記した実施例に限定されるものではなく、様々な変形例が含まれる。例えば、上記した実施例は本発明のより良い理解のために詳細に説明したのであり、必ずしも説明の全ての構成を備えるものに限定されものではない。また、ある実施例の構成の一部を他の実施例の構成に置き換えることが可能であり、また、ある実施例の構成に他の実施例の構成を加えることが可能である。また、各実施例の構成の一部について、他の構成の追加・削除・置換をすることが可能である。例えば、実施例1〜3においてスライス毎にナビゲータエコーシーケンスを実施するシーケンスにしたが、TRに１回、スライス前にナビゲータエコーシーケンスを実施するシーケンスにしても良い。また、実施例2および実施例3において一部ユーザ操作によって実施しているが自動化しても良い。
【００６２】
更に、上述した各構成、機能、処理部等は、それらの一部又は全部を実現するプログラムを作成する例を説明したが、それらの一部又は全部を例えば集積回路で設計する等によりハードウェアで実現しても良いことは言うまでもない。
【符号の説明】
【００６３】
１  被検体
２  静磁場発生系
３  傾斜磁場発生系
４  シーケンサ
５  送信系
６  受信系
７  信号処理系
８  中央処理部（ＣＰＵ）
９  傾斜磁場コイル
１０  傾斜磁場電源
１１  高周波発信器
１２  変調器
１３  高周波増幅器
１４ａ  高周波コイル（送信コイル）
１４ｂ  高周波コイル（受信コイル）
１５  信号増幅器
１６  直交位相検波器
１７  A/D変換器
１８  磁気ディスク
１９  光ディスク
２０  ディスプレイ
２１  ROM
２２  RAM
２３  トラックボール又はマウス
２４  キーボード
２５  操作部
２６  肺
２７  心臓
２８  肝臓
２９  横隔膜
３０  ナビゲータエコー取得位置
【図１】
2017023397.tif 000003
【図２】
2017023397.tif 000004
【図３】
2017023397.tif 000005
【図４】
2017023397.tif 000006
【図５】
2017023397.tif 000007
【図６】
2017023397.tif 000008
【図７】
2017023397.tif 000009
【図８】
2017023397.tif 000010
【図９】
2017023397.tif 000011
【図１０】
2017023397.tif 000012